(57)【要約】【課題】より高い安全性を確保した状態で、通信端末からの玄関扉の開錠操作を行う事ができるドアホンシステムを提供する事。【解決手段】ドアホンシステムは、建物の玄関扉に設けられる電子錠と、玄関扉の近傍に配置される玄関子機と、建物の内部に配置されるドアホン親機５００と、を含むドアホンシステムであって、ドアホン親機５００は、ドアホン親機５００を介して電気錠を操作する通信端末を登録する操作、および、登録された通信端末に対する登録削除の操作を受け付ける登録設定部５５３と、登録された通信端末から開錠指示を受信したとき、電気錠を開錠させる電子錠制御部５５４と、ドアホン親機５００への電力供給状態に応じて、登録削除の操作を促すアラーム出力を行う警告部５５５と、を有する。【選択図】図３
2017117182.tif 000002
【特許請求の範囲】
【請求項１】
建物の玄関扉に設けられる電子錠と、前記玄関扉の近傍に配置される玄関子機と、前記建物の内部に配置されるドアホン親機と、を含むドアホンシステムであって、
前記ドアホン親機は、
前記ドアホン親機を介して前記電気錠を操作する通信端末を登録する操作、および、登録された前記通信端末に対する登録削除の操作を受け付ける登録設定部と、
登録された前記通信端末から開錠指示を受信したとき、前記電気錠を開錠させる電子錠制御部と、
前記ドアホン親機への電力供給状態に応じて、前記登録削除の操作を促すアラーム出力を行う警告部と、を有する、
ドアホンシステム。
【請求項２】
前記警告部は、
前記ドアホン親機への電源投入が行われる毎に、前記アラーム出力を行う、
請求項１に記載のドアホンシステム。
【請求項３】
前記警告部は、
前記電源投入が行われたとき、登録された前記通信端末が存在する事を条件として、前記アラーム出力を行う、
請求項１に記載のドアホンシステム。
【請求項４】
前記警告部は、
前記電源投入が行われたとき、前記ドアホン親機への電源切断からの経過時間が所定値以上である事を条件として、前記アラーム出力を行う、
請求項１に記載のドアホンシステム。
【請求項５】
前記ドアホン親機は、
前記ドアホン親機に供給された電力を蓄電する蓄電部と、
前記ドアホン親機に電力が供給されていないとき、前記蓄電部に蓄電された電力を使用して動作するタイマ部と、を有し、
前記警告部は、
前記電源投入が行われたとき、前記タイマ部が動作を継続していない事を条件として、前記アラーム出力を行う、
請求項１に記載のドアホンシステム。
【請求項６】
前記登録設定部は、
複数の通信端末が登録されているとき、前記通信端末毎に前記登録削除の操作を受け付ける、
請求項１に記載のドアホンシステム。
【請求項７】
建物の玄関扉に設けられる電子錠と、前記玄関扉の近傍に配置される玄関子機と、前記建物の内部に配置されるドアホン親機と、を含むドアホンシステムに使用される前記ドアホン親機であって、
前記ドアホン親機を介して前記電気錠を操作する通信端末を登録する操作、および、登録された前記通信端末に対する登録削除の操作を受け付ける登録設定部と、
登録された前記通信端末から開錠指示を受信したとき、前記電気錠を開錠させる電子錠制御部と、
前記ドアホン親機への電力供給状態に応じて、前記登録削除の操作を促すアラーム出力を行う警告部と、を有する、
ドアホン親機。
【請求項８】
建物の玄関扉に設けられる電子錠と、前記玄関扉の近傍に配置される玄関子機と、前記建物の内部に配置されるドアホン親機と、を含むドアホンシステムのセキュリティ管理方法であって、
前記ドアホン親機が、前記ドアホン親機を介して前記電気錠を操作する通信端末を登録する操作を受け付けるステップと、
前記ドアホン親機が、登録された前記通信端末から開錠指示を受信したとき、前記電気錠を開錠させるステップと、
前記ドアホン親機が、前記ドアホン親機への電力供給状態に応じて、前記登録削除の操作を促すアラーム出力を行うステップと、
前記ドアホン親機が、登録された前記通信端末に対する登録削除の操作を受け付けるステップと、を有する、
セキュリティ管理方法。
【発明の詳細な説明】
【技術分野】
【０００１】
本開示は、ドアホンシステム、ドアホン親機、およびセキュリティ管理方法に関する。
【背景技術】
【０００２】
従来、玄関への来訪者の確認や玄関扉の開錠を室内のドアホン親機から行う事ができるドアホンシステムは、広く普及している。近年、このような来訪者確認や扉開錠操作を、スマートフォン等の携帯可能な通信端末から行う事を可能にする技術が注目されている（例えば、特許文献１参照）。
【０００３】
特許文献１に記載の技術（以下「従来技術」という）において、サービスセンタ―装置は、通信端末からドア開錠指令を受信すると通信端末に対する認証処理を行い、認証が成功した場合、通信端末に予め対応付けられた玄関扉に対してドアの開錠を指示する。このような従来技術によれば、例えば、子供の帰宅時に、仕事中の親が子供と通話を行い、子供を家に入れるために遠隔操作により玄関扉を開錠するといった事が可能となる。
【先行技術文献】
【特許文献】
【０００４】
【特許文献１】特開２００５−２３６８９号公報
【特許文献２】特開２００７−１２４２２７号公報
【発明の概要】
【発明が解決しようとする課題】
【０００５】
しかしながら、従来技術には、安全性の面で改善の余地がある。例えば、賃貸マンション等において居住者の入れ替えが発生したとき、以前の居住者の通信端末から玄関扉が開錠されてしまうおそれがある。
【０００６】
本開示の目的は、より高い安全性を確保した状態で、通信端末からの玄関扉の開錠操作を行う事ができるドアホンシステム、ドアホン親機、およびセキュリティ管理方法を提供する事である。
【課題を解決するための手段】
【０００７】
本開示のドアホンシステムは、建物の玄関扉に設けられる電子錠と、前記玄関扉の近傍に配置される玄関子機と、前記建物の内部に配置されるドアホン親機と、を含むドアホンシステムであって、前記ドアホン親機は、前記ドアホン親機を介して前記電気錠を操作する通信端末を登録する操作、および、登録された前記通信端末に対する登録削除の操作を受け付ける登録設定部と、登録された前記通信端末から開錠指示を受信したとき、前記電気錠を開錠させる電子錠制御部と、前記ドアホン親機への電力供給状態に応じて、前記登録削除の操作を促すアラーム出力を行う警告部と、を有する。
【０００８】
本開示のドアホン親機は、建物の玄関扉に設けられる電子錠と、前記玄関扉の近傍に配置される玄関子機と、前記建物の内部に配置されるドアホン親機と、を含むドアホンシステムに使用される前記ドアホン親機であって、前記ドアホン親機を介して前記電気錠を操作する通信端末を登録する操作、および、登録された前記通信端末に対する登録削除の操作を受け付ける登録設定部と、登録された前記通信端末から開錠指示を受信したとき、前記電気錠を開錠させる電子錠制御部と、前記ドアホン親機への電力供給状態に応じて、前記登録削除の操作を促すアラーム出力を行う警告部と、を有する。
【０００９】
本開示のセキュリティ管理方法は、建物の玄関扉に設けられる電子錠と、前記玄関扉の近傍に配置される玄関子機と、前記建物の内部に配置されるドアホン親機と、を含むドアホンシステムのセキュリティ管理方法であって、前記ドアホン親機が、前記ドアホン親機を介して前記電気錠を操作する通信端末を登録する操作を受け付けるステップと、前記ドアホン親機が、登録された前記通信端末から開錠指示を受信したとき、前記電気錠を開錠させるステップと、前記ドアホン親機が、前記ドアホン親機への電力供給状態に応じて、前記登録削除の操作を促すアラーム出力を行うステップと、前記ドアホン親機が、登録された前記通信端末に対する登録削除の操作を受け付けるステップと、を有する。
【発明の効果】
【００１０】
本開示によれば、より高い安全性を確保した状態で、通信端末からの玄関扉の開錠操作を行う事ができる。
【図面の簡単な説明】
【００１１】
【図１】本開示の一実施の形態に係るドアホンシステムの構成の一例を示すシステム構成図
【図２】本実施の形態における玄関子機の構成の一例を示すブロック図
【図３】本実施の形態におけるドアホン親機の構成の一例を示すブロック図
【図４】本実施の形態における端末情報テーブルの一例を示す図
【図５】本実施の形態における無線端末の構成の一例を示すブロック図
【図６】本実施の形態におけるドアホン親機の動作の一例を示すフローチャート
【図７】本実施の形態におけるアラーム画面の一例を示す平面図
【図８】本実施の形態における登録削除画面の一例を示す平面図
【図９】本実施の形態における接続中処理の一例を示すフローチャート
【図１０】本実施の形態における、登録されている無線端末により操作が行われる場合のドアホンシステムの動作の一例を示すシーケンス図
【図１１】本実施の形態における来訪端末通知受信時の無線端末の表示状態の一例を示す平面図
【図１２】本実施の形態における通話時の無線端末の表示状態の一例を示す平面図
【図１３】本実施の形態における開錠指示操作時無線端末の表示状態の一例を示す平面図
【図１４】本実施の形態における開錠操作成功時の無線端末の表示状態の一例を示す平面図
【図１５】本実施の形態における、登録されていない無線端末により操作が行われる場合のドアホンシステムの動作の一例を示すシーケンス図
【図１６】本実施の形態における開錠操作失敗時の無線端末の表示状態の一例を示す平面図
【発明を実施するための形態】
【００１２】
以下、本開示の一実施の形態について、図面を参照して詳細に説明する。
【００１３】
＜システムの概要＞
まず、本開示の一実施の形態に係るドアホンシステムの概要について説明する。
【００１４】
図１は、本実施の形態に係るドアホンシステムの構成の一例を示すシステム構成図である。ここでは、システム構成の周辺の環境についても併せて図示している。
【００１５】
図１に示すように、ドアホンシステム１００は、例えば、ユーザ２２０の自宅である建物２００の玄関扉２１０に設けられる電子錠３００と、玄関扉２１０の近傍に配置される玄関子機４００と、建物２００の室内に配置されるドアホン親機５００とを有する。建物２００は、例えば、賃貸マンションや賃貸アパートの一室である。
【００１６】
電子錠３００は、玄関扉２１０の開錠／施錠を、鍵穴に対する通常の鍵操作に加えて、電気信号である開錠要求／施錠要求に応じて行う鍵装置である。電子錠３００とドアホン親機５００との間には、ＪＥＭ−Ａ規格コードである電子錠コード３０１が敷設されている。電子錠３００は、ドアホン親機５００からの制御を受けて開錠／施錠を行う事が可能となっている。
【００１７】
玄関子機４００は、呼出ボタン、スピーカ、マイクロフォン、およびデジタルカメラを備えている。玄関子機４００とドアホン親機５００との間には、１対の銅線から成る２線ケーブル４０１が敷設されている。玄関子機４００は、呼出および通話の機能に加えて、玄関周辺の映像を撮影してドアホン親機５００へ送信する機能を有している。なお、２線ケーブル４０１は、例えば、過去に建物２００に設置されていた、映像信号の伝送を行わない古いタイプのドアホンシステムで使用されていた通信ケーブルである。
【００１８】
ドアホン親機５００は、スピーカ、タッチパネル付き液晶ディスプレイ、モニターボタン、通話ボタン、マイクロフォン、および施錠／開錠ボタンを備えている。ドアホン親機５００は、呼出に対する応答（通話の開始）の機能に加えて、玄関子機４００から送られてきた玄関周辺の映像を表示する機能と、玄関扉２１０の電子錠３００の開錠／施錠操作を受け付ける機能とを有している。
【００１９】
なお、ドアホン親機５００は、商用電源８１０に接続された分電盤８２０から、給電配線８２１を介して給電を受ける。分電盤８２０は、図示しないが、内部にブレーカおよび電力量計等を収容しており、ドアホン親機５００を含む建物２００各所への給電を手動で遮断させるためのブレーカ操作スイッチを有している。
【００２０】
また、ドアホンシステム１００は、建物２００の室内に配置される無線通信ルータ６１０と、インターネット等の公共網６２０に接続された認証サーバ６００と、建物２００の外部に持ち出し可能なスマートフォン等の無線端末（通信端末）７００とを有する。
【００２１】
無線通信ルータ６１０は、無線通信回線６１１、６１２により、ドアホン親機５００および公共網６２０のそれぞれと接続し、ドアホン親機５００と公共網６２０との間で通信の中継を行う。無線通信回線６１１は、例えば、Ｗｉ−Ｆｉ（登録商標）の回線であり、無線通信回線６１２は、例えば、ＬＴＥ（Long Term Evolution）回線である。
【００２２】
認証サーバ６００は、公共網６２０を介して無線通信ルータ６１０と接続し、無線通信ルータ６１０を介してドアホン親機５００と通信を行う。また、認証サーバ６００は、ドアホン親機５００にアクセスしようとする無線端末（例えば無線端末７００）に対して認証処理を行い、認証が成功した場合、その無線端末とドアホン親機５００との間で通信の中継を行う。
【００２３】
無線端末７００は、無線通信回線７０１により、公共網６２０と接続し、認証サーバ６００を介してドアホン親機５００にアクセスする。無線通信回線７０１は、例えば、ＬＴＥ回線である。無線端末７００は、公共網６２０、認証サーバ６００、および無線通信ルータ６１０を介して、建物２００の内部および外部から、ドアホン親機５００と接続可能となっている。
【００２４】
また、無線端末７００は、スピーカ、タッチパネル付き液晶ディスプレイ、マイクロフォン、端末モニターボタン、端末通話ボタン、端末開錠ボタン、および端末施錠ボタンを備えている。なお、これらのボタンは、例えば、タッチパネル付き液晶ディスプレイに表示される画像ボタンである。
【００２５】
そして、上述のドアホン親機５００は、玄関子機４００と無線端末７００との間で、映像、音声、および各種制御情報の転送を行うと共に、無線端末７００からの開錠端末指示を受けて、電子錠３００を開錠させる。すなわち、上述のドアホン親機５００は、呼出に対する応答（通話の開始）、玄関周辺の映像の表示、電子錠３００の開錠／施錠操作を、無線端末７００においても可能にする機能を有している。
【００２６】
但し、ドアホン親機５００は、予め、ドアホン親機５００を介して電子錠３００を操作する無線端末７００を登録する操作、および、登録された無線端末７００に対する登録削除の操作を受け付ける。そして、無線端末７００から開錠端末指示（開錠指示）を受信したとき、かかる無線端末７００が登録された無線端末７００である事を条件として、電気錠３００を開錠させる。
【００２７】
なお、図１では、無線端末７００を１台のみ図示しているが、ドアホンシステム１００においてドアホン親機５００と接続可能な無線端末７００は、例えば、複数存在している。
【００２８】
また、玄関子機４００およびドアホン親機５００は、例えば、特許文献２に記載の技術をベースとして、相手への送信の対象となる各種データを、パケット化した上で符号化を行い、ベースバンド伝送により相手に送信する。この際、玄関子機４００およびドアホン親機５００は、それぞれのベースバンド伝送を、時分割複信（時分割双方向伝送）によって行う。すなわち、玄関子機４００およびドアホン親機５００は、送信と受信とを時間の経過に応じて交互に切り替え、相手が送信を行っていない区間にのみ送信を行う。
【００２９】
これにより、ドアホンシステム１００は、既存の２線ケーブル４０１を有効活用して、玄関子機４００からドアホン親機５００への高品質な映像音声信号送信を実現する事ができる。但し、玄関子機４００とドアホン親機５００との間の通信方式は、かかる例に限定されるものではなく、公知の各種通信方式を採用する事ができる。
【００３０】
このようなドアホンシステム１００は、ユーザ２２０に対し、建物２００の中に居る時のみならず、建物２００の外に居る時においても、玄関に来訪者２３０があった時に、その旨を知る事を可能にする。そして、ドアホンシステム１００は、ユーザ２２０に対し、ドアホン映像を確認しながら来訪者２３０と会話をし、来訪者２３０がユーザ２２０の子供である事等を確認した場合に、玄関扉２１０の開錠操作を遠隔で行う事を可能にする。
【００３１】
ところが、建物２００の居住者の入れ替わりが発生する場合、上述の通り、安全性の面において改善の余地があった。
【００３２】
そこで、ドアホン親機５００は、ドアホン親機５００への電力供給状態に応じて、過去に登録された無線端末７００に対する登録削除（以下、単に「登録削除」という）の操作を促すアラーム出力を行う。これは、居住者の退去の際に分電盤８２０のブレーカを切る操作が行われるという事実に着目したものである。すなわち、ドアホン親機５００は、ドアホン親機５００への電力供給状態に基づいて、セキュリティ確保の観点から無線端末７００の登録状態を確認および修正すべきタイミングを判定し、不要な登録が残っていないかどうかの確認を促す通知を行う。
【００３３】
＜各装置の構成＞
ここで、ドアホンシステム１００の主要な装置の構成について説明する。なお、ドアホンシステム１００を構成する各装置は、例えば、図示しないが、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、以下に説明する各部の機能は、ＣＰＵが制御プログラムを実行する事により実現される。
【００３４】
＜電子錠の構成＞
電子錠３００の構成としては、公知の電子錠の構成を採用する事ができる。例えば、電子錠３００は、電子錠コード３０１の一端が接続されるＪＥＭ−Ａ標準ＨＡ端子−Ａを備えたＪＥＭ−Ａアダプタを含み、端子への入力信号に応じて開錠／施錠の状態を切り替えるように構成されている。
【００３５】
このような構成により、電子錠３００は、ドアホン親機５００からの制御を受けて、玄関扉２１０の開錠／施錠を行う事ができる。
【００３６】
＜玄関子機の構成＞
図２は、玄関子機４００の構成の一例を示すブロック図である。
【００３７】
図２において、玄関子機４００は、子機側ケーブル接続部４１０、子機側キー入力部４２０、子機側スピーカ４０２、子機側マイク４０３、子機側音声Ｉ／Ｆ（インタフェース）部４３０、および子機側カメラ部４４０を有する。また、玄関子機４００は、子機側制御部４５０、子機側パケット構成部４６０、子機側送信ドライバ４７０、子機側受信ドライバ４８０、および子機側データ抽出部４９０を有する。
【００３８】
子機側ケーブル接続部４１０は、例えば２線ケーブル用の接続端子を含み、２線ケーブル４０１の玄関側の一端と、子機側送信ドライバ４７０および子機側受信ドライバ４８０との間を、信号を伝送可能な状態で接続する。
【００３９】
子機側キー入力部４２０は、上述の呼出ボタンを含み、呼出ボタンが操作された時、その旨を示す信号を子機側制御部４５０へ出力する。
【００４０】
子機側スピーカ４０２は、子機側音声Ｉ／Ｆ部４３０から出力されたアナログ音声データを、音声に変換して出力する。
【００４１】
子機側マイク４０３は、周囲の音声を集音してアナログ音声データに変換し、子機側音声Ｉ／Ｆ部４３０へ出力する。
【００４２】
子機側音声Ｉ／Ｆ部４３０は、子機側制御部４５０から出力されたデジタル音声データを、アナログ音声データに変換し、信号レベルを調整して、子機側スピーカ４０２へ出力する。また、子機側音声Ｉ／Ｆ部４３０は、子機側マイク４０３から出力されたアナログ音声データを、信号レベルを調整し、デジタル音声データに変換して、子機側制御部４５０へ出力する。かかるアナログ／デジタル変換は、Ａ／Ｄ，Ｄ／Ａ変換器（図示せず）により行われる。
【００４３】
なお、子機側音声Ｉ／Ｆ部４３０は、子機側マイク４０３から出力されたアナログ音声データをデジタル変換したデータに対して、所定の音声圧縮処理を行って得られるデータを、デジタル音声データとして子機側制御部４５０へ出力してもよい。また、子機側音声Ｉ／Ｆ部４３０は、子機側制御部４５０から出力されたデジタル音声データが所定の音声圧縮処理を行って得られたデータである場合、当該データに対して所定の音声伸張処理を行ってから、デジタル／アナログ変換を行う。
【００４４】
子機側カメラ部４４０は、上述のデジタルカメラを含み、玄関の映像を撮影し、デジタル映像データを生成して、子機側制御部４５０へ出力する。なお、子機側カメラ部４４０は、エンコーダモジュールを搭載していてもよい。すなわち、子機側カメラ部４４０は、デジタルカメラから出力された映像データに対してＨ.２６４等の所定の動画圧縮処理を行って得られるデータを、デジタル映像データとして子機側制御部４５０へ出力してもよい。
【００４５】
子機側制御部４５０の来訪通知部４５１は、玄関扉２１０に来訪者２３０があった時、その旨を示す来訪通知をドアホン親機５００へ送信する。例えば、来訪通知部４５１は、呼出ボタンが操作された旨を示す信号が子機側キー入力部４２０から出力された時、来訪通知をドアホン親機５００へ送信する。
【００４６】
なお、来訪通知部４５１は、玄関扉２１０への来訪者２３０の有無を、玄関扉２１０の近傍に配置された人感センサの出力信号や、子機側カメラ部４４０の画像に対する人検出処理等に基づいて判定してもよい。
【００４７】
また、子機側制御部４５０は、玄関扉２１０に来訪者２３０があった時、あるいは、ドアホン親機５００から音声映像送信指示を受信した時、玄関周辺のモニタリングおよび映像付き通話を実現するための所定の制御処理を開始する。かかる制御処理は、子機側音声Ｉ／Ｆ部４３０および子機側カメラ部４４０から出力されたデジタル音声データおよびデジタル映像データを、ドアホン親機５００へ送信する事により行われる。また、かかる制御処理は、ドアホン親機５００から受信したデジタル音声データを、子機側音声Ｉ／Ｆ部４３０へ出力する事により行われる。
【００４８】
なお、子機側制御部４５０は、来訪通知を送信した時、あるいは、音声映像送信指示を受信した時に、子機側スピーカ４０２、子機側マイク４０３、子機側音声Ｉ／Ｆ部４３０、および子機側カメラ部４４０の動作を開始させるように制御してもよい。
【００４９】
また、子機側制御部４５０は、玄関子機４００の動作あるいはドアホン親機５００の動作に関する各種制御データを、ドアホン親機５００へ送信してもよい。かかる制御データは、例えば、玄関子機４００に備えられた気温センサ、照度センサ、および人感センサ等の各種センサデバイス（図示せず）のセンシング情報を含む。
【００５０】
子機側パケット構成部４６０は、子機側制御部４５０から出力されたデジタル音声データおよびデジタル映像データ（並びに制御データ）を、適宜分割してパケット化し、生成されたパケットデータを符号化して、ドアホン親機５００への上り信号を生成する。そして、子機側パケット構成部４６０は、生成された上り信号を、子機側送信ドライバ４７０へ出力する。
【００５１】
子機側送信ドライバ４７０は、子機側パケット構成部４６０から出力された上り信号をバッファし、信号レベルの調整を行い、子機側ケーブル接続部４１０を介してドアホン親機５００へ送信する。
【００５２】
子機側受信ドライバ４８０は、子機側ケーブル接続部４１０を介してドアホン親機５００から送られてくる下り信号を、信号レベルの調整を行ってバッファし、子機側データ抽出部４９０へ出力する。
【００５３】
子機側データ抽出部４９０は、子機側受信ドライバ４８０から出力された下り信号から、下り信号に含まれるドアホン親機５００のデジタル音声データを抽出し、子機側制御部４５０へ出力する。
【００５４】
なお、上述の子機側制御部４５０によるドアホン親機５００との間の各種情報の送受信は、子機側パケット構成部４６０、子機側送信ドライバ４７０、子機側ケーブル接続部４１０、子機側受信ドライバ４８０、および子機側データ抽出部４９０を介して行われる。
【００５５】
但し、子機側制御部４５０は、ドアホン親機５００との間で予め共有（保持）している送信制御情報に基づいて、上り信号の送信と下り信号の受信とが時分割で行われるように、子機側送信ドライバ４７０および子機側受信ドライバ４８０の動作を制御する。送信制御情報は、玄関子機４００とドアホン親機５００との間の時分割複信における、それぞれの送信タイミングおよび受信タイミングを規定する情報である。子機側送信ドライバ４７０の動作の制御は、例えば、送信制御情報に従って、子機側送信ドライバ４７０の動作（信号のドライブ）を制御するイネーブル信号４７１等を出力する事により行われる。
【００５６】
また、玄関子機４００の上記各部の間のデータの受け渡しは、子機側スピーカ４０２および子機側マイク４０３と子機側音声Ｉ／Ｆ部４３０との間を除き、デジタル伝送により行われる。
【００５７】
このような構成により、玄関子機４００は、玄関扉２１０に来訪者２３０があった時、ドアホン親機５００に対して来訪通知を送信する事ができる。
【００５８】
＜ドアホン親機の構成＞
図３は、ドアホン親機５００の構成の一例を示すブロック図である。
【００５９】
図３において、ドアホン親機５００は、電源入力部（図示せず）、蓄電部５０４、およびタイマ部５０５を有する。また、ドアホン親機５００は、親機側ケーブル接続部５１０、親機側キー入力部５２０、親機側スピーカ５０２、親機側マイク５０３、親機側音声Ｉ／Ｆ部５３０、および親機側ディスプレイ部５４０を有する。更に、ドアホン親機５００は、情報格納部５４１、親機無線部５４２、親機側制御部５５０、親機側パケット構成部５６０、親機側送信ドライバ５７０、親機側受信ドライバ５８０、親機側データ抽出部５９０、および電子錠コード接続部５９５を有する。
【００６０】
電源入力部（図示せず）は、給電配線８２１に接続されており、給電配線８２１および分電盤８２０を介して商用電源８１０から給電を受ける（図１参照）。そして、電源入力部は、ＣＰＵを含むドアホン親機５００の各部に対し、その動作に必要な電力を供給する。なお、電源入力部は、更に、電子錠３００や玄関子機４００に対し、その動作に必要な電力を供給してもよい。また、かかる電力供給には、２線ケーブル４０１あるいは電気錠コードが使用されてもよい。
【００６１】
蓄電部５０４は、例えばコンデンサであり、電源入力部（図示せず）からの電力により、後述のタイマ部５０５が所定の時間（例えば２４時間）駆動するのに必要な電力を蓄える。
【００６２】
タイマ部５０５は、電源入力部（図示せず）が電源を入力しているとき、電源入力部から供給される電力を使用して計時を行い、電源入力部が電源を入力していないとき、蓄電部５０４に蓄えられた電力を使用して計時を行う。そして、タイマ部５０５は、現在時刻を示す時刻情報を、逐次、親機側制御部５５０へ出力する。すなわち、タイマ部５０５は、蓄電部５０４と共にリアルタイムクロック（ＲＴＣ）を構成する。
【００６３】
なお、タイマ部５０５は、電力の不足により計時動作を停止した場合、時刻設定等の所定の操作が行われた事を条件として、計時動作を再開する。かかる所定の操作は、例えば、親機側制御部５５０が、ドアホン親機５００のタッチパネル付きディスプレイを介して受け付ける。
【００６４】
親機側ケーブル接続部５１０は、例えば２線ケーブル用の接続端子を含み、２線ケーブル４０１の室内側の一端と、親機側送信ドライバ５７０および親機側受信ドライバ５８０との間を、信号を伝送可能な状態で接続する。
【００６５】
親機側キー入力部５２０は、上述のモニターボタンおよび通話ボタンを含み、これらのボタンが操作された時、その旨を示す信号を親機側制御部５５０へ出力する。
【００６６】
親機側スピーカ５０２は、親機側音声Ｉ／Ｆ部５３０から出力されたアナログ音声データを、音声に変換して出力する。
【００６７】
親機側マイク５０３は、周囲の音声を集音してアナログ音声データに変換し、親機側音声Ｉ／Ｆ部５３０へ出力する。
【００６８】
親機側音声Ｉ／Ｆ部５３０は、親機側制御部５５０から出力されたデジタル音声データを、アナログ音声データに変換し、信号レベルを調整して、親機側スピーカ５０２へ出力する。また、親機側音声Ｉ／Ｆ部５３０は、親機側マイク５０３から出力されたアナログ音声データを、信号レベルを調整し、デジタル音声データに変換して、親機側制御部５５０へ出力する。かかるアナログ／デジタル変換は、Ａ／Ｄ，Ｄ／Ａ変換器（図示せず）により行われる。
【００６９】
なお、親機側音声Ｉ／Ｆ部５３０は、親機側マイク５０３から出力されたアナログ音声データをデジタル変換したデータに対して、所定の音声圧縮処理を行って得られるデータを、デジタル音声データとして親機側制御部５５０へ出力してもよい。また、親機側音声Ｉ／Ｆ部５３０は、親機側制御部５５０から出力されたデジタル音声データが所定の音声圧縮処理を行って得られたデータである場合、当該データに対して所定の音声伸張処理を行ってから、デジタル／アナログ変換を行ってもよい。
【００７０】
親機側ディスプレイ部５４０は、上述の液晶ディスプレイを含み、親機側制御部５５０から出力されたデジタル映像データを再生し、玄関の映像を表示する。なお、親機側制御部５５０から出力されたデジタル映像データが所定の動画圧縮処理を行って得られたデータである場合、当該データに対して所定の動画伸張処理を行って、映像表示を行う。
【００７１】
情報格納部５４１は、玄関子機４００との通話および電子錠３００の開錠／施錠操作を行う権限（以下「使用権限」という）を有する無線端末７００に関する情報を記述した、端末情報テーブルを格納する。
【００７２】
図４は、端末情報テーブルの一例を示す図である。
【００７３】
図４に示すように、端末情報テーブル９１０は、使用権限を有する無線端末７００毎に、端末名称９１１、端末種別９１２、ＩＤ（IDentifier）情報９１３、鍵情報９１４、およびパスワード９１５を、対応付けて記述している。
【００７４】
端末名称９１１は、無線端末７００の名称である。端末種別９１２は、無線端末７００の端末種別である。ＩＤ情報９１３は、ＭＡＣ（Media Access Control）アドレス等の通信において用いられる無線端末７００の識別情報である。鍵情報９１４は、ドアホン親機５００と無線端末７００との間での通信の暗号化および復号化に使用される情報である。パスワード９１５は、ドアホン親機５００の無線端末７００に対する認証処理に用いられる情報である。
【００７５】
端末名称９１１〜パスワード９１５は、例えば、ドアホン親機５００に対する情報入力操作や、公知技術による近・中距離無線通信を用いたドアホン親機５００と無線端末７００との間での情報交換により、予め登録される。
【００７６】
かかる情報交換は、例えば、同一ＬＡＮ（Local Area Network）内における、コマンド通信により行われる。具体的には、無線端末７００は、近・中距離無線通信機能のオンオフの切り替えが可能となっており、無線通信ルータ６１０の通信圏内に位置し、かつ、かかる機能がオンとなっている時、無線通信ルータ６１０に直接接続する（配下となる）。そして、ドアホン親機５００は、例えば、ドアホン親機５００と同様に無線端末７００が無線通信ルータ６１０の配下となっている事を条件として、無線端末７００から無線通信ルータ６１０を介して端末名称９１１〜パスワード９１５の設定を受け付ける。ドアホン親機５００および無線端末７００は、例えば、ＨＴＴＰ（HyperText Transfer Protocol）のＣＧＩ（Common Gateway Interface）コマンドを用いて、情報をやり取りする。但し、かかる情報は、ＡＥＳ（Advanced Encryption Standard）等の技術により暗号化された状態で送信される事が望ましい。
【００７７】
端末情報テーブル９１０の生成および更新は、後述の登録設定部５５３により行われる。無線端末７００の情報を端末情報テーブル９１０に記述する処理は、かかる無線端末７００に対する「登録」であり、無線端末７００の情報を端末情報テーブル９１０から削除する処理は、かかる無線端末７００に対する「登録削除」である。また、端末情報テーブル９１０に情報が記述された無線端末７００は、上述の「登録された無線端末７００」である。
【００７８】
端末情報テーブル９１０は、ＥＥＰＲＯＭ（Erasable Programmable Read Only Memory）等の、情報の書き込みおよび消去が可能であって、かつ、電源が切断されても情報を保持する不揮発性メモリに格納される。したがって、分電盤８２０のブレーカが切られる等してドアホン親機５００への電源供給が停止されても、端末情報テーブル９１０の内容は保持される。
【００７９】
図３の親機無線部５４２は、無線通信回路およびアンテナを含み、上述の無線通信回線６１１、６１２により無線通信ルータ６１０と通信可能に接続する。そして、親機無線部５４２は、無線通信ルータ６１０、公共網６２０、および認証サーバ６００を介して、無線端末７００と通信可能に接続する。
【００８０】
親機側制御部５５０は、玄関子機４００から上述の来訪通知を受信した時、親機側スピーカ５０２から、所定の呼出音を出力させる。呼出音の出力は、例えば、親機側制御部５５０が、所定の呼出音のデジタル音声信号を親機側音声Ｉ／Ｆ部５３０へ出力する事により行われる。
【００８１】
更に、親機側制御部５５０は、玄関周辺のモニター、および、玄関子機４００とドアホン親機５００との間の映像付き通話を実現するための所定の制御処理を開始する。かかる制御処理は、親機側音声Ｉ／Ｆ部５３０から出力されたデジタル音声データを、玄関子機４００へ送信し、玄関子機４００から受信したデジタル音声データおよびデジタル映像データを、子機側音声Ｉ／Ｆ部４３０および親機側ディスプレイ部５４０へ出力する事により行われる。但し、親機側制御部５５０は、親機側キー入力部５２０から、通話ボタンが操作された旨を示す信号が出力されるまでは、デジタル音声データの玄関子機４００への送信を行わない。
【００８２】
なお、親機側制御部５５０は、来訪通知を受信した時に、親機側スピーカ５０２、親機側マイク５０３、親機側音声Ｉ／Ｆ部５３０、および親機側ディスプレイ部５４０の動作を開始させるように制御してもよい。
【００８３】
また、親機側制御部５５０は、ドアホン親機５００の動作あるいは玄関子機４００の動作に関する制御データを、玄関子機４００へ送信してもよい。かかる制御データは、例えば、ドアホン親機５００から玄関子機４００のカメラ動作（データレート、パン、チルト、ライト、シャッタ、およびフィルター等の動作）や、玄関子機４００に備えられた各種センサデバイスの動作を制御するための制御信号を含む。また、かかる制御データは、玄関子機４００に備えられた無線通信回路等（図示せず）を介して屋外に配置されたデバイス（門の電子鍵等）の動作を制御するための制御信号を含む。
【００８４】
更に、親機側制御部５５０は、認証サーバ６００を介して無線端末７００からログイン要求を受信した時、情報格納部５４１に格納されたログイン情報（例えば、図４のＩＤ情報９１３およびパスワード９１５）に基づいて無線端末７００に対する認証処理を行う。すなわち、親機側制御部５５０は、例えば、ログイン要求に含まれる暗号化されたＩＤ情報およびパスワードを、鍵情報で復号し、ログイン情報の内容と照合する。そして、通話中継部５５２は、認証が成功した場合、認証サーバ６００を介して無線端末７００と接続する。
【００８５】
そして、親機側制御部５５０は、無線端末７００と接続している状態において、玄関子機４００から上述の来訪通知を受信した時、上述の処理と共に、端末通知部５５１において、無線端末７００に対する来訪端末通知の送信を行う。また、端末通知部５５１は、来訪通知を受信する毎に、その旨を、後述の電子錠制御部５５４へ通知する。
【００８６】
親機側制御部５５０の通話中継部５５２は、無線端末７００からピア・ツー・ピアの通信（以下「Ｐ２Ｐ通信」と表記する）の開始の要求が送信されたとき、これを受理するか否かを決定する。通話中継部５５２は、かかる要求を受理する場合、その旨の応答を無線端末７００に送信すると共に、玄関子機４００から送られてくる映像の無線端末７００への転送を開始する。
【００８７】
また、通話中継部５５２は、無線端末７００から通話開始指示を受信すると、玄関子機４００と無線端末７００との間で映像付き通話を実現するための通話中継処理を開始する。かかる通話中継処理は、無線端末７００から受信したデジタル音声データを、玄関子機４００へ送信し、玄関子機４００から受信したデジタル音声データおよびデジタル映像データを、無線端末７００へ送信する事により行われる。
【００８８】
また、通話中継部５５２は、無線端末７００から、玄関周辺の映像の送信を要求する映像送信要求を受信した時、上述の音声映像送信指示を玄関子機４００へ送信する。そして、通話中継部５５２は、玄関子機４００から受信したデジタル映像データを、無線端末７００へ送信する。
【００８９】
親機側制御部５５０の登録設定部５５３は、ドアホン親機５００を介して電気錠３００を操作する無線端末７００を登録する操作、および、登録された無線端末７００に対する登録削除の操作を受け付ける。より具体的には、登録設定部５５３は、ドアホン親機５００のタッチパネル付きディスプレイや親機無線部５４２等を介して、使用権限を有する無線端末７００を設定（無線端末７００の情報を入力）する操作や、設定された内容を解除（無線端末７００の情報を削除）する操作を受け付ける。そして、登録設定部５５３は、操作内容に応じて、端末情報テーブル９１０（図４参照）の内容を変更する。
【００９０】
親機側制御部５５０の電子錠制御部５５４は、無線端末７００から親機無線部５４２を介して開錠端末指示を受信したとき、その送信元の無線端末７００が登録されている事を条件として、開錠要求を玄関扉２１０の電子錠３００へ送信し、電子錠３００を開錠させる。電子錠制御部５５４は、例えば、開錠端末指示に含まれる送信元ＭＡＣアドレス等のＩＤ情報を、端末情報テーブル９１０のＩＤ情報９１３（図４参照）で検索する事により、送信元の無線端末７００が登録されているか否かを判定する。なお、電子錠制御部５５４は、開錠要求により電子錠３００を開錠させた場合、２０秒等の所定の時間が経過した時に、施錠要求を玄関扉２１０の電子錠３００へ送信して、電子錠３００を施錠させる事が望ましい。
【００９１】
親機側制御部５５０の警告部５５５は、ドアホン親機５００への電力供給状態に応じて、登録削除の操作を促すアラーム出力を行う。より具体的には、例えば、警告部５５５は、タイマ部５０５が計時動作を継続（ＲＴＣの値を保持）しているいか否かを監視する。そして、警告部５５５は、タイマ部５０５が計時動作を継続していない事を条件として、アラーム出力を行う。すなわち、警告部５５５は、ドアホン親機５００への電源が切断された後、その電源切断からの経過時間が、タイマ部５０５が蓄電部５０４の蓄電力を消費するのに要する時間（所定値）以上である事を条件として、アラーム出力を行う。なお、警告部５５５は、電源入力部から供給される電力により動作する。したがって、警告部５５５は、ドアホン親機５００への電源投入が行われた直後に、アラーム出力を行う。アラーム出力の詳細については、後述する。
【００９２】
親機側パケット構成部５６０は、親機側制御部５５０から出力されたデジタル音声データ（および制御データ）を、適宜分割してパケット化し、生成されたパケットデータを符号化して、下り信号を生成する。そして、親機側パケット構成部５６０は、生成された下り信号を、親機側送信ドライバ５７０へ出力する。
【００９３】
親機側送信ドライバ５７０は、親機側パケット構成部５６０から出力された下り信号をバッファしてゲイン調整を行い、親機側ケーブル接続部５１０を介して玄関子機４００へと送信する。
【００９４】
親機側受信ドライバ５８０は、親機側ケーブル接続部５１０を介して玄関子機４００から送られてくる上り信号を、ゲイン調整を行ってバッファし、親機側データ抽出部５９０へ出力する。
【００９５】
親機側データ抽出部５９０は、親機側受信ドライバ５８０から出力された下り信号から、上り信号に含まれる玄関子機４００のデジタル音声データおよびデジタル映像データを抽出し、親機側制御部５５０へ出力する。
【００９６】
電子錠コード接続部５９５は、例えば、ＪＥＭＡ標準ＨＡ端子−Ａを備えたＪＥＭ−Ａアダプタを含み、電子錠コード３０１の一端と、親機側制御部５５０との間を、信号を伝送可能な状態で接続する。
【００９７】
なお、上述の親機側制御部５５０による玄関子機４００との間の各種情報の送受信は、子親機側パケット構成部５６０、親機側送信ドライバ５７０、親機側ケーブル接続部５１０、親機側受信ドライバ５８０、および親機側データ抽出部５９０を介して行われる。
【００９８】
但し、親機側制御部５５０は、上述の送信制御情報を予め保持しており、下り信号の送信と上り信号の受信とが時分割で行われるように、親機側送信ドライバ５７０の動作を制御する。かかる制御は、例えば、送信制御情報に従って、親機側送信ドライバ５７０の動作（信号のドライブ）を制御するイネーブル信号５７１等を出力する事により行われる。
【００９９】
また、上述の親機側制御部５５０による無線端末７００との間の各種情報の送受信は、親機無線部５４２を介して行われる。そして、上述の親機側制御部５５０による電子錠３００との間の各種情報の送受信は、電子錠コード接続部５９５を介して行われる。
【０１００】
また、ドアホン親機５００の上記各部の間のデータの受け渡しは、親機側スピーカ５０２および親機側マイク５０３と親機側音声Ｉ／Ｆ部５３０との間を除き、デジタル伝送により行われる。
【０１０１】
このような構成により、ドアホン親機５００は、玄関子機４００から来訪通知を受信した時、予めドアホン親機５００に登録済みの無線端末７００に対して来訪端末通知を送信し、登録された無線端末７００から開錠端末指示を受信した時、電気錠３００を開錠させる事ができる。また、ドアホン親機５００は、ドアホン親機５００への電源投入が行われた場合、つまり、居住者の入れ替えが発生した可能性が高い場合に、登録削除の操作を促すアラーム出力を行う事ができる。
【０１０２】
なお、ドアホン親機５００は、Ｐ２Ｐ通信の相手先、および、玄関子機４００との間の通信の中継（情報の転送）を行う接続先についても、開錠操作と同様に、登録された無線端末７００に制限する事が望ましい。また、ドアホン親機５００は、施錠操作についても、開錠操作と同様の処理を行ってもよい。すなわち、ドアホン親機５００は、無線端末７００から施錠端末指示を受信した時、当該無線端末７００が登録されている事を条件として、電子錠３００を施錠させてもよい。
【０１０３】
＜無線通信ルータの構成＞
無線通信ルータ６１０の構成としては、無線により通信を中継する公知の無線通信ルータの構成を採用する事ができる。
【０１０４】
＜認証サーバの構成＞
認証サーバ６００の構成としては、通信を中継する公知の無線通信ルータおよび認証サーバの構成を採用する事ができる。
【０１０５】
認証サーバ６００は、例えば、ドアホン親機５００へのアクセスを要求してきた無線端末（例えば無線端末７００）に対して、無線端末７００との間で予め交換された認証情報に基づいて、認証処理を行う、認証処理部（図示せず）を有する。かかる認証処理としては、例えば、ＳＳＬ（Secure Sockets Later）認証や、認証サーバ６００と無線端末７００との間で予め取り交わしたパスワードによる認証等を採用する事ができる。
【０１０６】
そして、認証サーバ６００は、無線端末７００に対する認証が成功した事を条件として、無線端末７００との接続を確立し、無線端末７００と（無線通信ルータ６１０を介した）ドアホン親機５００との間の通信の中継を行う、端末通信中継部（図示せず）を有する。
【０１０７】
なお、認証サーバ６００は、ドアホン親機５００から来訪端末通知を受信した時、かかる通知を無線端末７００へ転送するが、かかる転送は、無線端末７００とドアホン親機５００との間の通信が確立される前であってもよいし、後であってもよい。
【０１０８】
＜無線端末の構成＞
図５は、無線端末７００の構成の一例を示すブロック図である。
【０１０９】
図５において、無線端末７００は、端末無線部７１０、端末スピーカ７２０、端末マイク７３０、端末音声Ｉ／Ｆ部７４０、端末ディスプレイ部７５０、タッチパネル部７６０、および端末制御部７７０を有する。
【０１１０】
端末無線部７１０は、無線通信回路およびアンテナを含み、上述の無線通信回線７０１により公共網６２０に接続された無線基地局（図示せず）と通信可能に接続する。そして、端末無線部７１０は、無線基地局および公共網６２０を介して認証サーバ６００と通信可能に接続する。更に、端末無線部７１０は、認証サーバ６００により通信の中継が行われている間、認証サーバ６００、公共網６２０、および無線通信ルータ６１０を介して、ドアホン親機５００と通信可能に接続する。
【０１１１】
端末スピーカ７２０は、端末音声Ｉ／Ｆ部７４０から出力されたアナログ音声データを、音声に変換して出力する。
【０１１２】
端末マイク７３０は、周囲の音声を集音してアナログ音声データに変換し、端末音声Ｉ／Ｆ部７４０へ出力する。
【０１１３】
端末音声Ｉ／Ｆ部７４０は、端末制御部７７０から出力されたデジタル音声データを、アナログ音声データに変換し、信号レベルを調整して、端末スピーカ７２０へ出力する。また、端末音声Ｉ／Ｆ部７４０は、端末マイク７３０から出力されたアナログ音声データを、信号レベルを調整し、デジタル音声データに変換して、端末制御部７７０へ出力する。かかるアナログ／デジタル変換は、Ａ／Ｄ，Ｄ／Ａ変換器（図示せず）により行われる。
【０１１４】
なお、端末音声Ｉ／Ｆ部７４０は、端末マイク７３０から出力されたアナログ音声データをデジタル変換したデータに対して、所定の音声圧縮処理を行って得られるデータを、デジタル音声データとして端末制御部７７０へ出力してもよい。また、端末音声Ｉ／Ｆ部７４０は、端末制御部７７０から出力されたデジタル音声データが所定の音声圧縮処理を行って得られたデータである場合、当該データに対して所定の音声伸張処理を行ってから、デジタル／アナログ変換を行ってもよい。
【０１１５】
端末ディスプレイ部７５０は、上述のタッチパネル付液晶ディスプレイの液晶ディスプレイ部分を含み、端末制御部７７０から出力されたデジタル映像データを再生する。なお、端末制御部７７０から出力されたデジタル映像データが所定の動画圧縮処理を行って得られたデータである場合、当該データに対して所定の動画伸張処理を行って、映像表示を行う。また、端末ディスプレイ部７５０は、端末制御部７７０からの制御に従って、上述の端末モニターボタン、端末通話ボタン、端末開錠ボタン、および端末施錠ボタンを表示する。
【０１１６】
タッチパネル部７６０は、無線端末７００に対する各種操作を受け付ける。例えば、タッチパネル部７６０は、端末ディスプレイ部７５０に端末モニターボタン、端末通話ボタン、端末開錠ボタン、あるいは端末施錠ボタンが表示されている時、これらに対するクリック操作を受け付ける。そして、タッチパネル部７６０は、かかる操作が行われた時、その旨を端末制御部７７０へ通知する。
【０１１７】
端末制御部７７０は、タッチパネル部７６０においてドアホン親機５００に対する接続の開始を要求する操作があった時、認証サーバ６００による認証処理を受ける。認証サーバ６００による認証が成功すると、認証サーバ６００による無線端末７００とドアホン親機５００との間の通信の中継が開始される。端末制御部７７０は、かかる通信の中継が開始されると、次に、端末制御部７７０は、ドアホン親機５００に対してログイン要求を送信する。
【０１１８】
端末制御部７７０の端末情報出力部７７１は、ドアホン親機５００から来訪端末通知を受信した時、玄関扉２１０に人が来た事を示す呼出音を端末スピーカ７２０から出力させる。これにより、端末情報出力部７７１は、玄関扉２１０に来訪者２３０が居る旨を、ユーザ２２０に通知する。また、端末情報出力部７７１は、端末ディスプレイ部７５０に、上述の端末モニターボタン、端末通話ボタン、および端末開錠ボタンを表示させる。
【０１１９】
端末制御部７７０の通話制御部７７２は、無線端末７００において端末モニターボタンをクリックする等の確認操作が行われた時、ドアホン親機５００に対してＰ２Ｐ通信の開始の要求を送信する。これにより、ドアホン親機５００との間のＰ２Ｐ通信が開始され、通話制御部７７２は、ドアホン親機５００から送られてくる玄関周辺の映像の出力を開始する。音声出力は、例えば、端末情報出力部７７１が、呼出音のデジタル音声信号を、端末音声Ｉ／Ｆ部７４０へ出力する事により行われる。また、映像出力は、例えば、端末情報出力部７７１が、ドアホン親機５００からのデジタル映像データを、親機側ディスプレイ部５４０へ出力する事により行われる。
【０１２０】
また、端末制御部７７０の通話制御部７７２は、無線端末７００において端末通話ボタンをクリックする等の応答操作が行われた時、ドアホン親機５００に対して上述の通話開始指示を送信する。これにより、通話制御部７７２は、ドアホン親機５００を介して無線端末７００と玄関子機４００との間の通話を開始させる。すなわち、通話制御部７７２は、ドアホン親機５００から送られてくる玄関周辺の映像および音声を、端末ディスプレイ部７５０および端末スピーカ７２０から出力させると共に、端末マイク７３０が入力した無線端末７００周辺の音声を、ドアホン親機５００へ送信する。
【０１２１】
なお、通話制御部７７２は、来訪端末通知を受信していない状態において、端末モニターボタンをクリックする等の確認操作が行われた時、上述の映像送信要求をドアホン親機５００へ送信する。そして、かかる要求に対応してドアホン親機５００から送られてくる玄関周辺の映像を、端末ディスプレイ部７５０から出力させる。
【０１２２】
端末制御部７７０の操作通知部７７３は、無線端末７００において上述の端末開錠ボタンをクリックする等の開錠指示操作が行われた時、ドアホン親機５００に対して上述の開錠端末指示を送信する。
【０１２３】
また、端末制御部７７０の操作通知部７７３は、無線端末７００において施錠指示操作が行われた時、ドアホン親機５００に対して上述の施錠端末指示を送信する。施錠指示操作は、例えば、端末ディスプレイ部７５０に表示された端末施錠ボタンに対するクリック操作である。
【０１２４】
なお、端末制御部７７０のこれらの機能部は、例えば、無線端末７００に予めインストールされたアプリケーションソフトウェアにより実現される。また、上述の端末制御部７７０による認証サーバ６００およびドアホン親機５００との間の各種情報の送受信は、端末無線部７１０を介して行われる。
【０１２５】
このような構成により、無線端末７００は、ドアホン親機５００から来訪端末通知を受信した時、玄関扉２１０に人が来た事を示す情報を出力し、無線端末７００において開錠指示操作が行われた時、ドアホン親機５００に対して開錠端末指示を送信する事ができる。
【０１２６】
＜ドアホン親機の動作＞
次に、ドアホン親機５００の動作について説明する。なお、ここでは、無線端末７００との通信、および、無線端末７００からの遠隔での開錠操作に関連する主要な動作に着目して説明を行う。
【０１２７】
図６は、ドアホン親機５００の動作の一例を示すフローチャートである。
【０１２８】
Ｓ１０１０において、警告部５５５は、ドアホン親機５００への電源投入があったか否かを判定する。すなわち、警告部５５５は、電源入力部に電力が供給されていない状態から、電源入力部に電力が供給されている状態に切り替わったか否かを判定する。
【０１２９】
警告部５５５は、電源投入があった場合（Ｓ１０１０：ＹＥＳ）、処理をステップＳ１０２０へ進める。また、警告部５５５は、電源投入が無い場合（Ｓ１０１０：ＮＯ）、処理を後述のステップＳ１０４０へ進める。
【０１３０】
なお、警告部５５５は、電源投入の有無を後述の計時の継続／非継続に基づいて判定する場合、ステップＳ１０１０とステップＳ１０２０の処理とを統合してもよい。
【０１３１】
ステップＳ１０２０において、警告部５５５は、タイマ部５０５が計時動作を継続しておらず、かつ、登録された無線端末７００（以下、適宜「登録端末」という）が存在しているか否かを判定する。警告部５５５は、タイマ部５０５が計時動作を継続しているか否かを、例えば、タイマ部５０５から時刻情報が出力されているか否かに基づいて判定する。また、警告部５５５は、登録端末が存在しているか否かを、例えば、情報格納部５４１に無線端末７００を記述した端末情報テーブル９１０が格納されているか否かに基づいて判定する。
【０１３２】
警告部５５５は、計時動作が継続しておらず、かつ、登録端末が存在している場合（Ｓ１０２０：ＹＥＳ）、処理をステップＳ１０３０へ進める。また、警告部５５５は、計時動作が継続している場合、および、登録端末が存在していない場合（Ｓ１０２０：ＮＯ）、処理を後述のステップＳ１０４０へ進める。処理がステップＳ１０４０へ進むのは、上述の通り、建物２００の居住者の入れ替えが発生した可能性が高い場合である。
【０１３３】
ステップＳ１０３０において、警告部５５５は、登録削除の操作を促すアラーム出力を行う。アラーム出力は、例えば、ドアホン親機５００のタッチパネル付き液晶ディスプレイへの、登録削除を促すためのアラーム画面の表示を含む。
【０１３４】
図７は、アラーム画面の一例を示す平面図である。
【０１３５】
図７に示すように、アラーム画面９２０は、登録端末が存在している事、および、登録端末から開錠の遠隔操作が可能である事を通知すると共に、登録削除を促すテキストメッセージ９２１を含む。また、アラーム画面９２０は、アラーム画面９２０から通常時画面に戻るための復帰アイコン９２２と、後述の登録削除画面を表示させるための削除選択アイコン９２３とを含む。
【０１３６】
図６のステップＳ１０４０において、登録設定部５５３は、登録端末のいずれかに対する登録削除の操作を開始するための削除選択操作が行われたか否かを判定する。削除選択操作は、例えば、アラーム画面９２０の削除選択アイコン９２３（図７参照）をクリックする操作である。なお、登録設定部５５３は、通常時画面においても、削除選択操作を受け付けてもよい。この場合、登録設定部５５３は、例えば、通常時画面において所定のアイコンを表示させ、当該所定のアイコンに対するクリック操作が行われたとき、削除選択操作が行われたと判定する。
【０１３７】
登録設定部５５３は、削除選択操作が行われた場合（Ｓ１０４０：ＹＥＳ）、処理をステップＳ１０５０へ進める。また、登録設定部５５３は、削除選択操作が行われていない場合（Ｓ１０４０：ＮＯ）、処理を後述のステップＳ１０８０へ進める。
【０１３８】
ステップＳ１０５０において、登録設定部５５３は、無線端末７００に対する登録削除の操作を受け付けるための登録削除画面を生成し、ドアホン親機５００のタッチパネル付きディスプレイに表示させる。
【０１３９】
図８は、登録削除画面の一例を示す平面図である。
【０１４０】
図８に示すように、登録削除画面９３０は、登録端末の情報を表示する情報表示欄９３１と、情報表示欄９３１に表示された登録端末に対する登録削除を決定するための削除決定ボタン９３２と、通常時画面に復帰するための復帰ボタン９３３とを含む。登録設定部５５３は、例えば、端末情報テーブル９１０に記述された全ての端末名称９１１（図４参照）を読み出し、情報表示欄９３１に表示する。
【０１４１】
図６のステップＳ１０６０において、登録設定部５５３は、登録削除の操作が行われたか否かを判定する。かかる操作は、例えば、登録削除画面９３０の削除決定ボタン９３２（図８参照）がクリックされる操作である。
【０１４２】
登録設定部５５３は、登録削除の操作が行われた場合（Ｓ１０６０：ＹＥＳ）、処理をステップＳ１０７０へ進める。また、登録設定部５５３は、登録削除の操作が行われず、例えば登録削除画面９３０の復帰ボタン９３３（図８参照）がクリックされた場合（Ｓ１０６０：ＮＯ）、処理を後述のステップＳ１０８０へ進める。
【０１４３】
ステップＳ１０７０において、登録設定部５５３は、端末情報テーブル９１０から、例えば端末情報テーブル９１０に記述された全ての端末情報を削除して、処理をステップＳ１０８０へ進める。また、登録設定部５５３は、ドアホン親機５００のタッチパネル付き液晶ディスプレイの表示を通常時画面に戻す。
【０１４４】
なお、登録設定部５５３は、登録端末毎に登録削除の操作を受け付けてもよい。この場合、登録設定部５５３は、例えば、情報表示欄９３１（図８参照）において、表示されている登録端末に対して、個別の選択操作を受け付ける。そして、登録設定部５５３は、削除決定ボタン９３２がクリックされたとき、選択されている登録端末に対してのみ、その登録を削除する。
【０１４５】
なお、登録設定部５５３は登録削除操作を行おうとする人に対して、予め定められたパスワードの入力を求める等、所定の認証処理を行ってもよい。これにより、登録削除操作を、その権限を有する人（例えば、建物２００の居住者のうち大人）に制限する事ができる。
【０１４６】
ステップＳ１０８０において、登録設定部５５３は、端末登録操作が行われたか否かを判定する。端末登録操作は、例えば、ドアホン親機５００のタッチパネル付きディスプレイに登録設定部５５３が表示する端末設定画面（図示せず）において、ドアホン親機５００を介して電気錠３００を操作する無線端末７００を登録する操作である。なお、登録設定部５５３は、例えば、ドアホン親機５００のタッチパネル付きディスプレイに表示された所定のアイコンがクリックされた時、端末設定画面を表示させる。そして、登録設定部５５３は、端末設定画面に対する操作に応じて、登録対象となる無線端末７００の情報を取得する。
【０１４７】
登録設定部５５３は、端末登録操作が行われた場合、（Ｓ１０８０：ＹＥＳ）、処理をステップＳ１０９０へ進める。また、登録設定部５５３は、端末登録操作が行われていない場合（Ｓ１０８０：ＮＯ）、処理を後述のステップＳ１１００へ進める。
【０１４８】
ステップＳ１０９０において、登録設定部５５３は、行われた端末登録操作に従って、無線端末７００を登録する。すなわち、登録設定部５５３は、取得した無線端末７００の情報を、端末情報テーブル９１０に記述（追加）する（図４参照）。
【０１４９】
なお、登録設定部５５３は、端末登録操作を行おうとする人に対して、予め定められたパスワードの入力を求める等、所定の認証処理を行ってもよい。これにより、端末登録操作を、その権限を有する人（例えば、建物２００の居住者のうち大人）に制限する事ができる。
【０１５０】
ステップＳ１１００において、通話中継部５５２は、無線端末７００からのログイン要求を受信したか否かを判定する。通話中継部５５２は、ログイン要求を受信した場合（Ｓ１１００：ＹＥＳ）、処理をステップＳ１１１０へ進める。また、通話中継部５５２は、ログイン要求を受信していない場合（Ｓ１１００：ＮＯ）、処理を後述のステップＳ１１３０へ進める。
【０１５１】
ステップＳ１１１０において、通話中継部５５２は、無線端末７００に対する認証処理を行う。ここでは、認証が成功した場合を想定して説明を行う。通話中継部５５２は、無線端末７００に対してログイン応答を送信し、無線端末７００と接続する。なお、認証が失敗した場合、ドアホン親機５００は、例えば、認証失敗を示す応答を無線端末７００へ送信して、処理を後述のステップＳ１１３０へ進める。
【０１５２】
ステップＳ１１２０において、ドアホン親機５００は、無線端末７００による玄関周辺のモニタリングおよび玄関子機４００との映像付き通話を実現するための接続中処理を実施して、処理をステップＳ１１３０へ進める。接続中処理の詳細については後述する。
【０１５３】
なお、ドアホン親機５００は、ステップＳ１１００〜Ｓ１１２０の処理を、無線端末７００毎に行う。
【０１５４】
そして、ステップＳ１１３０において、ドアホン親機５００は、ユーザ操作等により処理の終了を指示されたか否かを判定する。ドアホン親機５００は、処理の終了を指示されていない場合（Ｓ１１３０：ＮＯ）、処理をステップＳ１０１０へ戻す。また、ドアホン親機５００は、処理の終了を指示された場合（Ｓ１１３０：ＹＥＳ）、一連の処理を終了する。
【０１５５】
なお、ステップＳ１０１０、Ｓ１０４０、Ｓ１０８０、Ｓ１１００、Ｓ１１３０の判定処理を行う順序は、図６に示す順序と異なっていてもよい。
【０１５６】
図９は、接続中処理（図６のステップＳ１１２０）の一例を示すフローチャートである。
【０１５７】
ステップＳ２０１０において、端末通知部５５１は、玄関子機４００から来訪通知を受信したか否かを判定する。端末通知部５５１は、来訪通知を受信した場合（Ｓ２０１０：ＹＥＳ）、処理をステップＳ２０２０へ進める。また、端末通知部５５１は、来訪通知を受信していない場合（Ｓ２０１０：ＮＯ）、処理を後述のステップＳ２０３０へ進める。
【０１５８】
ステップＳ２０２０において、端末通知部５５１は、来訪端末通知を、認証サーバ６００を介して無線端末７００へ送信する。
【０１５９】
ステップＳ２０３０において、通話中継部５５２は、無線端末７００からＰ２Ｐ通信の開始を要求するＰ２Ｐ開始要求を受信したか否かを判定する。通話中継部５５２は、Ｐ２Ｐ開始要求を受信した場合（Ｓ２０３０：ＹＥＳ）、処理をステップＳ２０４０へ進める。また、通話中継部５５２は、Ｐ２Ｐ開始要求を受信していない場合（Ｓ２０３０：ＮＯ）、処理を後述のステップＳ２０６０へ進める。
【０１６０】
ステップＳ２０４０において、通話中継部５５２は、無線端末７００とのＰ２Ｐ通信を開始するか否かを判定する。通話中継部５５２は、Ｐ２Ｐ通信を開始する場合（Ｓ２０４０：ＹＥＳ）、処理をステップＳ２０５０へ進める。また、通話中継部５５２は、Ｐ２Ｐ通信を開始しない場合（Ｓ２０４０：ＮＯ）、処理を後述のステップＳ２０６０へ進める。なお、通話中継部５５２は、Ｐ２Ｐ通信を開始しない場合、後述のステップＳ２１２０と同様に操作拒否通知を無線端末７００へ送信してもよい。
【０１６１】
ステップＳ２０５０において、通話中継部５５２は、Ｐ２Ｐ通信を開始すると共に、玄関子機４００から送られてくる音声映像の無線端末７００への転送を開始する。但し、通話中継部５５２は、音声の転送については、必ずしも開始しなくてもよい。
【０１６２】
ステップＳ２０６０において、通話中継部５５２は、無線端末７００から通話開始指示を受信したか否かを判定する。通話中継部５５２は、通話開始指示を受信した場合（Ｓ２０６０：ＹＥＳ）、処理をステップＳ２０７０へ進める。また、通話中継部５５２は、通話開始指示を受信していない場合（Ｓ２０６０：ＮＯ）、処理を後述のステップＳ２０９０へ進める。
【０１６３】
ステップＳ２０７０において、通話中継部５５２は、無線端末７００とのＰ２Ｐ通信が開始されているか否かを判断する。通話中継部５５２は、Ｐ２Ｐ通信が開始されている場合（Ｓ２０７０：ＹＥＳ）、処理をステップＳ２０８０へ進める。また、通話中継部５５２は、Ｐ２Ｐ通信が開始されていない場合（Ｓ２０７０：ＮＯ）、処理を後述のステップＳ２０９０へ進める。なお、通話中継部５５２は、Ｐ２Ｐ通信が開始されていない場合、後述のステップＳ２１２０と同様に操作拒否通知を無線端末７００へ送信してもよい。
【０１６４】
ステップＳ２０８０において、通話中継部５５２は、玄関子機４００と無線端末７００との間の通話中継（音声データおよび映像データの転送）を開始する。
【０１６５】
ステップＳ２０９０において、電子錠制御部５５４は、無線端末７００から開錠端末指示を受信したか否かを判定する。電子錠制御部５５４は、開錠端末指示を受信した場合（Ｓ２０９０：ＹＥＳ）、処理をステップＳ２１００へ進める。また、電子錠制御部５５４は、開錠端末指示を受信していない場合（Ｓ２０９０：ＮＯ）、処理を後述のステップＳ２１３０へ進める。
【０１６６】
ステップＳ２１００において、電子錠制御部５５４は、端末情報テーブル９１０（図４参照）を参照し、開錠端末指示の送信元の無線端末７００が登録されているか否かを判定する。すなわち、電子錠制御部５５４は、開錠端末指示の送信元が登録端末であるか否かを判定する。電子錠制御部５５４は、開錠端末指示の送信元が登録端末である場合（Ｓ２１００：ＹＥＳ）、処理をステップＳ２１１０へ進める。また、電子錠制御部５５４は、開錠端末指示の送信元が登録端末ではない場合（Ｓ２１００：ＮＯ）、処理を後述のステップＳ２１２０へ進める。
【０１６７】
ステップＳ２１１０において、電子錠制御部５５４は、電子錠３００を開錠させると共に、開錠端末通知を無線端末７００へ送信する。なお、電子錠制御部５５４は、電子錠３００に対して開錠要求を送信し、電子錠３００から開錠が行われた事を示す開錠応答が返信された事をもって、開錠が行われたと判定してもよい。
【０１６８】
ステップＳ２１２０において、電子錠制御部５５４は、電子錠３００を開錠させる事なく、操作拒否通知を無線端末７００へ送信する。
【０１６９】
ステップＳ２１３０において、通話中継部５５２は、通話終了通知を受信したか否かを判定する。通話終了通知は、例えば、無線端末７００において、通話を終了する操作が行われた場合に、無線端末７００から送信される。通話中継部５５２は、通話終了通知を受信した場合（Ｓ２１３０：ＹＥＳ）、処理をステップＳ２１４０へ進める。また、通話中継部５５２は、通話終了通知を受信していない場合（Ｓ２１３０：ＮＯ）、処理を後述のステップＳ２１５０へ進める。
【０１７０】
ステップＳ２１４０において、通話中継部５５２は、玄関子機４００と無線端末７００との間の通話中継を終了する。
【０１７１】
ステップＳ２１５０において、親機側制御部５５０は、ログアウト要求を受信したか否かを判定する。ログアウト要求は、例えば、無線端末７００において、ログアウト操作が行われた場合に、無線端末７００から送信される。親機側制御部５５０は、ログアウト要求を受信していない場合（Ｓ２１５０：ＮＯ）、処理をステップＳ２０１０へ戻す。また、親機側制御部５５０は、ログアウト要求を受信した場合（Ｓ２１５０：ＹＥＳ）、処理をステップＳ２１６０へ進める。
【０１７２】
ステップＳ２１６０において、親機側制御部５５０は、無線端末７００との接続を切断して、処理を図６のＳ１０１０の処理へ戻す。
【０１７３】
なお、ステップＳ２０１０、Ｓ２０３０、Ｓ２０６０、Ｓ２０９０、Ｓ２１３０、Ｓ２１５０の判定処理を行う順序は、図９に示す順序と異なっていてもよい。
【０１７４】
このような動作により、ドアホン親機５００は、建物２００の外部に持ち出された無線端末７００と通信可能に接続し、無線端末７００からの、玄関扉２１０への来訪者２３０の確認、来訪者２３０との通話、および玄関扉２１０の開錠操作を可能にする。また、ドアホン親機５００は、ドアホン親機５００を介して電気錠を操作する無線端末７００の登録操作および登録削除操作を受け付けると共に、ドアホン親機５００への電力供給状態に応じて、登録削除操作を促すアラーム出力を行う事ができる。
【０１７５】
＜システムの動作＞
最後に、ドアホンシステム１００の動作について説明する。
【０１７６】
図１０は、ドアホンシステム１００の動作の一例を示すシーケンス図であり、登録されている無線端末７００によって操作が行われる場合の例である。
【０１７７】
ドアホン親機５００において、ある無線端末７００を登録する操作が行われる（Ｓ３００１）。そして、当該無線端末７００において、玄関周辺の確認および玄関扉２１０の電子錠３００の操作を行うためのアプリケーションソフトウェアが起動されると、接続開始要求が無線端末７００から認証サーバ６００へ送信される（Ｓ３０１０）。そして、認証サーバ６００による無線端末７００に対する認証が成功すると、認証サーバ６００から接続開始応答が返信される（Ｓ３０２０）。これにより、認証サーバ６００による通信の中継が可能な状態となる。
【０１７８】
なお、図示しないが、ドアホン親機５００も、電源投入時等に認証サーバ６００に対して同様の接続要求を行い、認証サーバ６００から認証処理を受けている。
【０１７９】
登録された無線端末７００からドアホン親機５００へログイン要求が送信された場合（Ｓ３０３０）、ドアホン親機５００による無線端末７００に対する認証は成功し、ドアホン親機５００から認証成功を示すログイン応答が返信される（Ｓ３０４０）。
【０１８０】
この状態で玄関子機４００の呼出ボタンが操作されると（Ｓ３０５０）、来訪通知がドアホン親機５００へ送信され（Ｓ３０６０）、これを受信したドアホン親機５００から、登録された無線端末７００へと来訪端末通知が送信される（Ｓ３０７０）。なお、これらの通知と共に、玄関子機４００で取得された音声付き映像のドアホン親機５００への送信も開始される。来訪端末通知を受信した無線端末７００では、玄関扉２１０に来訪者２３０があった事を示す情報が出力される（Ｓ３０９０）。
【０１８１】
来訪者を通知する情報出力を受けたユーザ２２０により、上述の確認操作が行われると（Ｓ３１００）、Ｐ２Ｐ開始要求が無線端末７００からドアホン親機５００へ送信される（Ｓ３１１０）。そして、ドアホン親機５００からＰ２Ｐ開始応答が返信されると共に（Ｓ３１２０）、玄関子機４００からの音声および映像の無線端末７００への転送が開始される（Ｓ３１３０）。この結果、無線端末７００において、玄関周辺の映像等の出力が開始される（Ｓ３１４０）。
【０１８２】
なお、この段階では、ドアホン親機５００は、玄関周辺の音声を出力しない事が望ましい。音声データは、ドアホン親機５００において無線端末７００に転送されないように制御されてもよいし、無線端末７００において音声出力されないように制御されてもよい。
【０１８３】
図１１は、来訪端末通知を受信し、確認操作が行われた時の、無線端末７００の表示状態の一例を示す平面図である。
【０１８４】
図１１に示すように、無線端末７００のタッチパネル付き液晶ディスプレイ７５１は、玄関子機４００で撮影された映像９４１と、映像の送信元である玄関子機４００を示す場所アイコン９４２とを表示する。また、タッチパネル付き液晶ディスプレイ７５１は、端末モニターボタンであるモニターアイコン９４３と、端末通話ボタンである通話アイコン９４４と、端末施錠ボタン兼端末開錠ボタンである電子錠アイコン９４５とを表示する。
【０１８５】
かかる情報出力を受けて、ユーザ２２０により無線端末７００において応答操作（通話アイコン９４４のクリック）が行われると（図１０のＳ３１５０）、無線端末７００からドアホン親機５００へと通話開始指示が送信される（Ｓ３１６０）。その結果、ドアホン親機５００により、無線端末７００から玄関子機４００への音声の転送が開始され、無線端末７００と玄関子機４００との間の通話の中継が開始される（Ｓ３１７０）。
【０１８６】
図１２は、玄関子機４００との通話が開始された時の、無線端末７００の表示状態の一例を示す平面図であり、図１１に対応するものである。
【０１８７】
図１２に示すように、無線端末７００のタッチパネル付き液晶ディスプレイ７５１は、図１１のモニターアイコン９４３および通話アイコン９４４に代えて、通話を終了する操作を受け付けるための通話終了アイコン９４６を表示する。
【０１８８】
来訪者２３０を確認したユーザ２２０により、登録された無線端末７００において開錠指示操作（電子錠アイコン９４５のクリック）が行われると（図１０のＳ３１８０）、無線端末７００からドアホン親機５００へと開錠端末指示が送信される（Ｓ３１９０）。なお、無線端末７００は、誤って開錠指示操作が行われるのを防ぐため、開錠指示操作があった時に、ユーザ２２０に対して当該操作を再確認するためのポップ画面を表示してもよい。
【０１８９】
図１３は、開錠指示操作が行われた時の、無線端末７００の表示状態の一例を示す平面図であり、図１１および図１２に対応するものである。
【０１９０】
図１３に示すように、無線端末７００のタッチパネル付き液晶ディスプレイ７５１は、開錠指示操作を確認するポップ画面９４７を表示する。そして、無線端末７００の操作通知部７７３は、開錠の意思がある旨を示す操作（ＯＫボタンのクリック）がポップ画面９４７で行われた事を条件として、開錠端末指示をドアホン親機５００へ送信する。
【０１９１】
開錠端末指示を送信した無線端末７００は登録されているため、ドアホン親機５００における開錠可否判定は、開錠を許可する判定結果（ＯＫ）となり（図１０のＳ３２００）、ドアホン親機５００から電子錠３００へと開錠要求が送信される（Ｓ３２１０）。
【０１９２】
かかる開錠要求を受信した電子錠３００では、玄関扉２１０の開錠が行われ、開錠が完了した事を示す開錠応答がドアホン親機５００へと返信される（Ｓ３２２０）。そして、ドアホン親機５００から無線端末７００へと開錠端末通知が送信され（Ｓ３２３０）、開錠操作が成功した事を示す情報が、無線端末７００から出力される（Ｓ３２４０）。
【０１９３】
図１４は、開錠操作が成功した時の、無線端末７００の表示状態の一例を示す平面図であり、図１１〜図１３に対応するものである。
【０１９４】
図１４に示すように、無線端末７００のタッチパネル付き液晶ディスプレイ７５１は、電子錠３００の開錠が成功した事を示すポップ画面９４８を表示する。また、タッチパネル付き液晶ディスプレイ７５１は、図１１〜図１３の電子錠アイコン９４５を、電子錠３００が施錠されている事を示す外観から、電子錠３００が開錠されている事を示す外観に変化させる。
【０１９５】
このような動作により、ドアホンシステム１００は、登録された無線端末７００におけるユーザ２２０の操作に応じて、玄関扉２１０の電子錠３００を開錠させる事ができる。
【０１９６】
図１５は、ドアホンシステム１００の動作の一例を示すシーケンス図であり、登録されていない無線端末７００によって操作が行われる場合の例である。図１０と同一部分には同一ステップ番号を付し、これについての説明を省略する。
【０１９７】
ドアホン親機５００において、ある登録された無線端末７００に対して、その登録を削除する操作が行われる（Ｓ３００２）。
【０１９８】
この無線端末７００からログイン要求が送信されたとしても（Ｓ３０３０）、この無線端末７００は登録されていないため、ドアホン親機５００におけるログイン可否判定は、ログインを許可しない判定結果（ＮＧ）となる（Ｓ３０３１）。そして、ドアホン親機５００から無線端末７００へとログイン拒否通知が送信され（Ｓ３０３２）、ログインが失敗した旨を示す情報が無線端末７００から出力される（Ｓ３０３３）。
【０１９９】
また、来訪通知が玄関子機４００から送信されたとしても（Ｓ３０６０）、上記無線端末７００は登録されていないため、上記無線端末７００への通知可否判定は、来訪端末通知を送信しない判定結果（ＮＧ）となる（Ｓ３０６１）。
【０２００】
この結果、図１０に示す確認操作（Ｓ３１００）や開錠指示操作（Ｓ３１８０）を無線端末７００で行うことはできず、無線端末７００から電子錠３００の開錠の遠隔操作を行うこともできない。
【０２０１】
図１６は、開錠操作が失敗した時の、無線端末７００の表示状態の一例を示す平面図であり、図１１〜図１４に対応するものである。
【０２０２】
図１６に示すように、無線端末７００のタッチパネル付き液晶ディスプレイ７５１は、電子錠３００の開錠が失敗した事を示すポップ画面９４９を表示する。
【０２０３】
このような動作により、ドアホンシステム１００は、登録されていない（登録が削除された）無線端末７００による、電子錠３００の開錠を含む各種操作や、玄関扉２１０周辺の映像を含む各種情報の取得を、防ぐ事ができる。
【０２０４】
＜本実施の形態の効果＞
以上説明したように、本開示のドアホンシステム１００は、建物２００の玄関扉２１０に設けられる電子錠３００と、玄関扉２１０の近傍に配置される玄関子機４００と、建物２００の内部に配置されるドアホン親機５００とを含む。
【０２０５】
ドアホン親機５００は、ドアホン親機５００を介して電気錠３００を操作する無線端末７００を登録する操作を受け付け、登録された無線端末７００から開錠指示を受信したとき、３００電気錠を開錠させる。また、ドアホン親機５００は、ドアホン親機５００への電力供給状態に応じて、上記登録削除の操作を促すアラーム出力を行い、登録された無線端末７００に対する登録削除の操作を受け付ける。
【０２０６】
これにより、本開示のドアホンシステム１００は、登録された無線端末７００からの操作による玄関扉２１０の開錠を可能にしつつ、居住者の入れ替えが発生した可能性が高い場合に、ユーザに対して、登録削除の必要性についての注意喚起を行う事ができる。したがって、ドアホンシステム１００は、従来技術に比べて、より高い安全性を確保した状態で、無線端末７００からの玄関扉２００の開錠操作を行う事ができる。
【０２０７】
なお、ドアホン親機５００は、ドアホン親機５００への電源切断が行われる毎に、あるいは、ドアホン親機５００への電源投入が行われる毎に、自動で登録削除を行う事も可能である。しかしながら、居住者が長期外出等でブレーカを切る事もあり、その度に登録操作を行うのは手間が掛かる。この点、本開示のドアホンシステム１００は、かかる手間を省きつつ、上記安全性を確保することができる。
【０２０８】
＜本実施の形態の変形例＞
なお、各装置が通信可能に接続するための構成は、上述の例に限定されない。例えば、無線端末７００は、ドアホン親機５００あるいは無線通信ルータ６１０と、Ｗｉｆｉ（登録商標）や無線ＬＡＮ等の近・中距離無線通信により、直接に通信を行ってもよい。また、無線端末７００は、玄関子機４００との無線通信を介して、ドアホン親機５００に接続してもよい。また、電子錠３００とドアホン親機５００との間は、ＪＥＭ−Ａ規格ではなく独自の規格あるいは他の規格により接続／制御してもよい。
【０２０９】
また、端末情報テーブル９１０（図４参照）は、使用権限を有していない無線端末７００の情報を含んでいてもよい。この場合、登録設定部５５３は、無線端末７００毎に、当該無線端末７００が使用権限を有するか否かを示す情報を、端末情報テーブル９１０に記述する必要がある。使用権限を有する無線端末７００が、上述の「登録された無線端末７００」である。
【０２１０】
また、ドアホン親機５００がアラーム出力を行うか否かの判定基準は、上述の例に限定されない。例えば、蓄電部５０４の容量が比較的大きい場合、警告部５５５は、ドアホン親機５００への電源切断から次の電源投入までの時間長さを算出（または計時）し、その経過時間が所定値以上である事を条件として、アラーム出力を行ってもよい。あるいは、警告部５５５は、タイマ部５０５の動作状態や電源切断からの経過時間に依らず、ドアホン親機５００への電源投入が行われる毎にアラーム出力を行ってもよい。
【０２１１】
また、アラーム出力の態様は、上述の例に限定されない。例えば、警告部５５５は、登録削除を促す音声メッセージを出力してもよい。また、警告部５５５は、例えば建物２００の管理会社の情報出力端末（図示せず）に、通信によりアラーム情報を送信することにより、当該情報出力端末においてアラーム出力が行われるようにしてもよい。
【０２１２】
また、ドアホン親機５００へ開錠端末指示を送信する通信端末は、上述の例では建物２００の外部に持ち出し可能なスマートフォン等の無線端末７００としたが、これに限定されるものではない。かかる通信端末は、例えば、タブレット型情報端末やノートパソコンであってもよいし、建物２００の外部に配置されるデスクトップ型パソコン等であってもよい。また、かかる通信端末は、情報出力インタフェースを備えていない電子キーや、操作インタフェースを有さないＩＣカードであってもよい。
【０２１３】
また、ドアホン親機５００を介して電気錠３００を操作する無線端末７００を登録する操作およびかかる登録を削除する操作を受け付ける装置は、以上説明した実施の形態においてはドアホン親機５００としたが、これに限定されない。例えば、認証サーバ６００、無線通信ルータ６１０、あるいは管理会社の情報出力端末において、上記登録操作および登録削除操作を受け付け、行われた操作内容を示す情報を、ドアホン親機５００へ送信してもよい。この場合においても、ドアホン親機５００は、結果的に、上記登録操作および登録削除操作を、他の装置を介して間接的に受け付ける事になる。
【０２１４】
また、以上説明した各装置の構成の一部は、当該装置の構成の他の部分と物理的に離隔していてもよい。この場合、それらの構成は、互いに通信を行うための通信部をそれぞれ備える必要がある。また、例えば、電子錠３００と玄関子機４００とが１つの装置に纏まっている等、複数の装置が一体的に構成されていてもよい。
【０２１５】
＜本開示のまとめ＞
本開示のドアホンシステムは、建物の玄関扉に設けられる電子錠と、前記玄関扉の近傍に配置される玄関子機と、前記建物の内部に配置されるドアホン親機と、を含むドアホンシステムであって、前記ドアホン親機は、前記ドアホン親機を介して前記電気錠を操作する通信端末を登録する操作、および、登録された前記通信端末に対する登録削除の操作を受け付ける登録設定部と、登録された前記通信端末から開錠指示を受信したとき、前記電気錠を開錠させる電子錠制御部と、前記ドアホン親機への電力供給状態に応じて、前記登録削除の操作を促すアラーム出力を行う警告部と、を有する。
【０２１６】
なお、上記ドアホンシステムにおいて、警告部は、前記ドアホン親機への電源投入が行われる毎に、前記アラーム出力を行ってもよい。
【０２１７】
また、上記ドアホンシステムにおいて、前記警告部は、前記電源投入が行われたとき、登録された前記通信端末が存在する事を条件として、前記アラーム出力を行ってもよい。
【０２１８】
また、上記ドアホンシステムにおいて、前記警告部は、前記電源投入が行われたとき、前記ドアホン親機への電源切断からの経過時間が所定値以上である事を条件として、前記アラーム出力を行ってもよい。
【０２１９】
また、上記ドアホンシステムにおいて、前記ドアホン親機は、前記ドアホン親機に供給された電力を蓄電する蓄電部と、前記ドアホン親機に電力が供給されていないとき、前記蓄電部に蓄電された電力を使用して動作するタイマ部と、を有し、前記警告部は、前記電源投入が行われたとき、前記タイマ部が動作を継続していない事を条件として、前記アラーム出力を行ってもよい。
【０２２０】
また、上記ドアホンシステムにおいて、前記登録設定部は、複数の通信端末が登録されているとき、前記通信端末毎に前記登録削除の操作を受け付けてもよい。
【０２２１】
本開示のドアホン親機は、建物の玄関扉に設けられる電子錠と、前記玄関扉の近傍に配置される玄関子機と、前記建物の内部に配置されるドアホン親機と、を含むドアホンシステムに使用される前記ドアホン親機であって、前記ドアホン親機を介して前記電気錠を操作する通信端末を登録する操作、および、登録された前記通信端末に対する登録削除の操作を受け付ける登録設定部と、登録された前記通信端末から開錠指示を受信したとき、前記電気錠を開錠させる電子錠制御部と、前記ドアホン親機への電力供給状態に応じて、前記登録削除の操作を促すアラーム出力を行う警告部と、を有する。
【０２２２】
本開示のセキュリティ管理方法は、建物の玄関扉に設けられる電子錠と、前記玄関扉の近傍に配置される玄関子機と、前記建物の内部に配置されるドアホン親機と、を含むドアホンシステムのセキュリティ管理方法であって、前記ドアホン親機が、前記ドアホン親機を介して前記電気錠を操作する通信端末を登録する操作を受け付けるステップと、前記ドアホン親機が、登録された前記通信端末から開錠指示を受信したとき、前記電気錠を開錠させるステップと、前記ドアホン親機が、前記ドアホン親機への電力供給状態に応じて、前記登録削除の操作を促すアラーム出力を行うステップと、前記ドアホン親機が、登録された前記通信端末に対する登録削除の操作を受け付けるステップと、を有する。
【産業上の利用可能性】
【０２２３】
本開示のドアホンシステム、ドアホン親機、およびセキュリティ管理方法は、より高い安全性を確保した状態で、通信端末からの玄関扉の開錠操作を行う事ができるドアホンシステム、ドアホン親機、およびセキュリティ管理方法として有用である。
【符号の説明】
【０２２４】
１００  ドアホンシステム
２００  建物
２１０  玄関扉
２２０  ユーザ
２３０  来訪者
３００  電子錠
３０１  電子錠コード
４００  玄関子機
４０１  ２線ケーブル
４０２  子機側スピーカ
４０３  子機側マイク
４１０  子機側ケーブル接続部
４２０  子機側キー入力部
４３０  子機側音声Ｉ／Ｆ部
４４０  子機側カメラ部
４５０  子機側制御部
４５１  来訪通知部
４６０  子機側パケット構成部
４７０  子機側送信ドライバ
４８０  子機側受信ドライバ
４９０  子機側データ抽出部
５００  ドアホン親機
５０２  親機側スピーカ
５０３  親機側マイク
５０４  蓄電部
５０５  タイマ部
５１０  親機側ケーブル接続部
５２０  親機側キー入力部
５３０  親機側音声Ｉ／Ｆ部
５４０  親機側ディスプレイ部
５４１  情報格納部
５４２  親機無線部
５５０  親機側制御部
５５１  端末通知部
５５２  通話中継部
５５３  登録設定部
５５４  電子錠制御部
５５５  警告部
５６０  親機側パケット構成部
５７０  親機側送信ドライバ
５８０  親機側受信ドライバ
５９０  親機側データ抽出部
５９５  電子錠コード接続部
６００  認証サーバ
６１０  無線通信ルータ
６１１、６１２、７０１  無線通信回線
６２０  公共網
７００  無線端末
７１０  端末無線部
７２０  端末スピーカ
７３０  端末マイク
７４０  端末音声Ｉ／Ｆ部
７５０  端末ディスプレイ部
７５１  タッチパネル付き液晶ディスプレイ
７６０  タッチパネル部
７７０  端末制御部
７７１  端末情報出力部
７７２  通話制御部
７７３  操作通知部
８１０  商用電源
８２０  分電盤
８２１  給電配線
【図１】
2017117182.tif 000003
【図２】
2017117182.tif 000004
【図３】
2017117182.tif 000005
【図４】
2017117182.tif 000006
【図５】
2017117182.tif 000007
【図６】
2017117182.tif 000008
【図７】
2017117182.tif 000009
【図８】
2017117182.tif 000010
【図９】
2017117182.tif 000011
【図１０】
2017117182.tif 000012
【図１１】
2017117182.tif 000013
【図１２】
2017117182.tif 000014
【図１３】
2017117182.tif 000015
【図１４】
2017117182.tif 000016
【図１５】
2017117182.tif 000017
【図１６】
2017117182.tif 000018